(57)【特許請求の範囲】
【請求項１】
地中透水部に建設する構造物の上流側の止水壁と下流側の止水壁の所定位置に設置されるバルブ付止水壁仕切装置であって、仕切り板の開口部の前面をフィルターで覆ったフィルター付開口体と、２つの相対峙するフィルター付開口体を接続する伸縮可能なバルブ付通水管及びジャッキとで構成し、２つのフィルター付開口体を拡張してそのフィルターを止水壁の内外側に形成されている掘削地山に全面的に当接させることを特徴とするバルブ付止水壁仕切装置。
【請求項２】
フィルター付開口体の開口部に、周囲に多数の間隙が形成されている筒体を設けることを特徴とする請求項１に記載のバルブ付止水壁仕切装置。
【請求項３】
上流側の止水壁と下流側の止水壁のバルブ付通水管のバルブを開口して上流側から下流側に地下水を導通することを特徴とする請求項１または２に記載のバルブ付止水壁仕切装置。
【請求項４】
上記請求項１〜３のいずれかに記載するバルブ付止水壁仕切装置を用いた揚水方法であって、地中透水部に建設する構造物の上流側と下流側に設置される止水壁を構築し、該止水壁の固化以前にバルブ付止水壁仕切装置を該止水壁に配備し、バルブ付通水管及びジャッキを伸長させて２つの相対峙するフィルター付開口体を拡張してそのフィルターを止水壁の内外側に形成されている掘削地山に全面的に当接し、該止水壁の固化後に該バルブ付止水壁仕切装置のバルブを閉鎖し、筒体を施工状態に対応させて適宜操作して止水壁内側から揚水することを特徴とするバルブ付止水壁仕切装置を用いた揚水方法。
【発明の詳細な説明】
【０００１】
【発明の属する技術分野】
本発明は、バルブ付止水壁仕切装置及びバルブ付止水壁仕切装置を用いた揚水方法に関し、特に、掘削後の孔壁を洗浄し、壁内の掘削時には揚水井戸を形成して稼動し、工事完工後は所望の地下水流動量を確保できるように構成したバルブ付止水壁仕切装置及びバルブ付止水壁仕切装置を用いた揚水方法に関する。
【０００２】
【従来の技術】
構造物を構築するための地盤構造は、地下水が浸透し易い洪積層や沖積層等の透水層と低透水性土層から構成されている。そして、透水層に多量の地下水を含んでいる帯水層の地下水は、図１３に示すように、一定の勾配を持った水流４０として流動している。
図１４に示すように、鉄道、道路など施工区間の長い構造物が建設され、その構築が地下に及んで地下構造物５０を建設する際には、止水性が高い、工期が短い、廉価で壁深を深くできる等の理由から、止水壁５１を適用することが多い。止水壁は遮水壁であるために、地下構造物５０に適用すると、図１４のように、地盤中の帯水層４１を遮断して地下水流４０を阻害することから、止水壁５１の上流側では、地下水の水位が上昇して、漏水、既設構造物の浮き上がり等の問題が発生し、下流側では逆に地下水位の低下が発生して、周辺の井戸等に井戸枯れ、地盤沈下等の障害を発生させていた。
【０００３】
一方、地下構造物の施工に必要な壁内の掘削工事においては、図１５に示すように、掘削側に揚水井戸４２を設けて地下水の水位４３を下げながら掘削を行うことが多かった。このような井戸４２を設置するための用地の確保や多大の設置費用は建設コストの増大を招いてきた。特に、井戸を掘削部内に設置する場合には、掘削の底盤に井戸の設置を行うための処置が必要になり、工事の進行上からは障害になっていた。
又、上記した環境上の障害を解消するために、工事終了後に止水壁を撤去するのには、撤去に必要な作業スペース並びに多くの費用を要し、しかも完全に撤去するのは不可能であり、部分的に壊すことで対処してきた。しかし、除去が不完全の場合にはさらなる環境問題に発展しかねない状況があった。
【０００４】
このような事態を避けるために、透水層部位の止水壁を工事完了後に積極的に破壊したり、図１６に示すように、遮水壁を開口して地下水を導水する施工法が提案されている。
しかし、この施工法では、上流側に設置される壁面５２からの導水パイプ５３は横方向に限られた範囲にしか開口できないために、躯体部導水管５４と下流側導水パイプ５５を通じて流れる人工的な導水は、必要としている全ての地下水流動量を確保することが困難であり、結果的に下流側の水位は図示のように若干の回復はあっても、従来の水位から低下したままの状態になっていることが多かった。
【０００５】
そこで、図１７に示すような止水壁の一部を全長にわたって砂利等と置換してから、その管をバイパス管で接続する方法が提案されている。
その方法の概要は、１例としては、特に図示していないが、止水壁６０のセメントミルクが硬化する以前に、止水壁の全長にわたってチューブが装着された鋼管をその地山側に沈め、このチューブに水等を送って膨らませセメントミルクを押しのけて止水壁６０と同型の空間を確保するものであり(特願平６−１７５８５号)、あるいは図１７（ａ）に見られるように、応力材としてのＨ型鋼６１に取付口６２を取り付けておいて、セメントミルクが硬化する以前に、止水壁６０の全長にわたってこれを配置し、次いでＨ型鋼６１の地山側に、特製したスラリー押退装置を用いてＨ型鋼６１の全長にわたってチューブを建て込み、これを膨らませてＨ型鋼の地山側に空間６３を形成している(特願平７−８６６０７号)。
【０００６】
次いで、Ｈ型鋼６１の地山側には、図１７（ｂ）に見られるように、形成された空間６３に砂利６４等を充填して透水状態を形成している。一方で、Ｈ型鋼６１の取付口６２に貫通孔形成装置６５を装備して掘削側と地山側とを連通させる貫通孔を設け、これに図示していないバイパス管を取り付けて、止水壁６０の上流側と下流側とを連通している。
【０００７】
しかし、この方法はバイパス管を接続するための止水壁にチューブを沈めた最深部から地表に至る全長にわたって空間を形成し、この空間全体に砂利を充填させているために、集水部材として無用になることや、不必要な深さの地盤の地下水に影響を与える恐れがあった。
【０００８】
【発明が解決しようとする課題】
本発明は、止水壁にバルブ付止水壁仕切装置を配備して地中透水部の孔壁及びフイルターの洗浄を行い、壁内の掘削工事中には、揚水井戸を形成して掘削地盤の地下水処理を行って、工事完了後は止水壁の上流側と下流側の水位を同等に保つのに充分な人工導水や機能維持のための洗浄を確立する止水壁及びその施工法の提供を目的にしている。
【０００９】
【課題を解決するための手段】
本発明によるバルブ付止水壁仕切装置は、地中透水部に建設する構造物の上流側と下流側に設置される止水壁の所定位置に設置され、２つの相対峙するフィルター付開口体を伸縮可能なバルブ付通水管及びジャッキで接続し、２つのフィルター付開口体を拡張してそのフィルターを止水壁の内外側に形成されている掘削地山に全面的に当接させて止水壁の上流側と下流側とを通水可能に構成し、さらに、フィルター付開口体の開口部に、周囲に多数の間隙が形成されている筒体を設けて、揚水もしくは地中透水部の孔壁及びフィルターの洗浄に用い、バルブの開口によって地下水を導通することを特徴としているので、地中透水部に止水壁を設ける工事を効率よく、かつ周辺の自然環境を何ら損ねることなく実施できる。
【００１０】
又、本発明によるバルブ付止水壁仕切装置を用いた揚水方法は、地中透水部に建設する構造物の上流側と下流側に設置される止水壁を構築しながら、その固化以前にバルブ付止水壁仕切装置を止水壁に配備し、バルブ付通水管及びジャッキを伸長させて２つの相対峙するフィルター付開口体を拡張してそのフィルターを止水壁の内外側に形成されている掘削地山に全面的に当接し、止水壁の固化後にバルブ付止水壁仕切装置のバルブを閉鎖し、筒体を施工状態に対応させて適宜操作することを基本的特徴にしており、具体的には、フィルター付開口体に充填材を充填したり、バルブ付止水壁仕切装置を凍結し、これを断熱材で閉塞しておくことを特徴としているので、バルブ付止水壁仕切装置を止水壁の所定位置に迅速確実に配置できる。
【００１１】
【発明の実施の形態】
図１は、本発明によるバルブ付止水壁仕切装置の一部を中心部分で断面にした側面図であり、（ａ）は掘削孔内に挿入以前の状態、(ｂ)は孔内で拡張した状態を示している。
バルブ付止水壁仕切装置1は、互いに対峙する2つのフィルター付開口体２、2から構成されており、両フィルター付開口体間は所定の間隔で配置した伸縮可能なバルブ付通水管３及びジャッキ4で接続している。
フィルター付開口体2は、掘削孔内の仕切り板を構成する保護用の鋼殻５で構成されている。鋼殻５は、図示のように内面に開口部６を形成し開口部６の前面はフィルター7で覆っており、掘削孔の孔壁から地下水と同時に混入してくる土壌類を阻止して開口部６等に目詰まりが生じないようにしている。従って、透水層からの地下水はバルブ付通水管３を通じて反対側のフィルター付開口体２に支障なく流通させることができる。
【００１２】
フィルター付開口体２には、鋼殻５の開口部両側に２本の水用開口部８を配置しており、図示していないポンプによって地下水を揚水したり、ポンプからの真水をジェット水流にしてフイルター7及び掘削孔の地山を洗浄できるようにしている。
バルブ付止水壁仕切装置１は、製造を完了して保管し、掘削孔に挿入するまでは、図1（ａ）に示すようにバルブ付通水管３及びジャッキ４を縮小させてあり、掘削孔に設置してからバルブ付通水管３及びジャッキ４を伸長せると、図1（ｂ）に示すように拡張して掘削孔の地山に当接し孔壁を全面的に覆った状態を形成する。
バルブ付止水壁仕切装置１の長さは、本実施の形態では、止水壁の全長にわたるように図示しているが、実用上は止水壁の全長にわたるものでなく、地下構造物を構築する地盤において地下水の集水や注水が最も効率よく達成できる透水層、特に帯水層に関連付けてその長さを決定するものであり、その長さを短縮することによる工事コストの低減についても大いに向上している。
【００１３】
図２は、図１▲２▼−▲２▼矢印の断面図でバルブ付通水管3を拡大して示しており、図２（ａ）は、バルブ付通水管を示す平面図であり、図２（ｂ）は同側面図である。
図示のように、バルブ付通水管３は、２つのダクト管９、９を水平部分に設けた伸縮可能な結合部１０で接続しており、一方のダクト管９にはバルブ１１を装備している。
上述のようにフィルター付開口体２は、鋼殻5の開口部６の全面をフイルター７で覆っており、ダクト管９の両側には水用開口部８、８が配備されている。
水用開口部８は、巻き線型のスクリーンのように円筒状であって、円筒体の周囲には多数の間隙が形成されている。従って、水用開口部８は、接続したポンプによって上記鋼殻5の開口部６やフイルター７及び掘削孔の孔壁に対して、スクリーン状になった間隙を通じて地下水の揚水、真水の注水を適宜実施できるようになっている。
又、鋼殻5の開口部端部１２は、前方に突出した形状にしてあり、これによって、フイルター等の洗浄時に高圧のジェット水流によってソイルセメント等の止水壁材料部分を傷めないようにしている。
【００１４】
図３は、図１▲３▼−▲３▼矢印の断面図でジャッキ４を拡大して示しており、図３（ａ）は、ジャッキを示す平面図であり、図３（ｂ）は同側面図である。
ジャッキ４は、鋼殻5の背面に設けられたジャッキ受口に嵌合して配置されており、フィルター付開口体2相互間の拡大、縮小を支障無く実施できる数と間隔でバルブ付止水壁仕切装置1の適当箇所に設けられている。
ジャッキ４は、地上からの遠隔操作で掘削孔にバルブ付止水壁仕切装置１が設置されてから伸長し、２つのフィルター付開口体２、２を拡張してバルブ付通水管３を伸長させて、フィルター付開口体２のフイルター７を掘削孔の地山に当接して孔壁を全面的に覆うように作動する。
【００１５】
図４〜６は、本発明によるバルブ付止水壁仕切装置を止水壁に適用する実施の形態である。
図４に示す実施の形態は、地山に掘削した止水壁の掘削孔壁を洗浄する例であり、図４（ａ）は側面図、図４（ｂ）は図４（ａ）における各矢印に対応して表示する断面図である。
バルブ付止水壁仕切装置1は地山１３に掘削した止水壁１４、１４に設置され、次いでこれを拡張して、掘削孔１５の孔壁1６にフィルター付開口体２の開口部6を全面的に当接させることで、鋼殻５の仕切機能によって地山の透水層に密接して水流を画している。
この１連の作業はジャッキ４を操作して行うことになるが、洗浄作業に際してのバルブ付通水管3のバルブ１１は、閉鎖させた状態で対応することになる。
【００１６】
掘削孔壁を洗浄する手段の第１は、図において矢印（イ）−（イ）で示している方法であり、水用開口部８に図示していない揚水ポンプを接続して実施するもので、水用開口部の周辺及び孔壁に付着したり浮遊して混入散在している不透水性残材を揚水流１７と共に吸い取って排水と同時に分離して廃棄するものである。
第２の方法は、上記方法とは逆に、接続したポンプを注水用に作動させるもので、図において矢印（ロ）−（ロ）で示しているように水用開口部8から高圧の真水をジェット水流１８にして周辺及び孔壁に吹き付けることで、フイルターや孔壁に付着している上記不透水性残材を吹き飛ばして地下水を不透水状態にしている原因を解消させるものである。
【００１７】
第３の方法は、上述した揚水とジェット水流とを同時に実施する方法である。
この方法では、フィルター付開口体２に装備されている2つの水用開口部８、８の一方をジェット水流用として使用し、他方を揚水用に使い分けて対応するものであり、不透水性残材の洗い出しと吸い取りを同じ区域において同時に行うものであるから、孔壁等の洗浄をもっとも効率よく実施できることになる。
本方法でのポンプの接続は、夫々の水用開口部８、８に個々にポンプを接続して揚水と注水を行わせても良いが、1台のポンプを使用して一方の水用開口部８から注水して不透水性残材の洗い出し、同時に不透水性残材を他方の水用開口部８から押し出して廃棄しても可能であり、他の方法と比較して稼動コストの低減において有効である。
【００１８】
さらに、上流側の止水壁にバルブ付止水壁仕切装置１を設置し、バルブ付通水管３のバルブ１１を閉じて止水壁内側の水用開口部８に揚水ポンプを接続しておき、下流側の止水壁に設置したバルブ付止水壁仕切装置１のバルブ１１も閉じて止水壁内側の水用開口部８に注水ポンプを接続してポンプを稼動させることでも洗浄ができる。
この場合の洗浄は、上流側に設置した水用開口部８のフイルター７に対しては逆洗を行い、下流側に設置の水用開口部８のフイルター７には水用開口部８から真水をジェット流にして噴出させての洗浄を行うものであるが、この他に止水壁内の地山における帯水層の洗浄も合わせて行うことができるものである。
以上のように、本発明によるバルブ付止水壁仕切装置の設置は、バルブ付通水管が備えているバルブの開閉とポンプを接続する水用開口部の選択とを組み合わせることによって上述した洗浄以外の各種洗浄が可能である。
【００１９】
上述したように、本発明によるバルブ付止水壁仕切装置を設置した止水壁では、以降の工事に先だって掘削孔壁の洗浄を実施できることから、全体工事の施工精度を向上させることが確保される。
さらに、工事完成後においても、止水壁に設けた各バルブ付止水壁仕切装置のフィルターが設置時のソイルセメントや設置後の流水中に混ざっている塵埃によって目詰まりを起こしても、上記のように水用開口部を積極的に稼動させて、洗浄によって目詰まりさせている塵埃をフィルターから除去して集水や注水効率を低下させない働きを発揮できるもので、止水壁の維持管理面で有効に作用することになる。
【００２０】
図５に示す実施の形態は、止水壁内側を掘削施工する際に地下水処理を行う揚水井戸を兼用する例であり、図５（ａ）は止水壁に設けたバルブ付止水壁仕切装置の側面図、図５（ｂ）は断面図である。
バルブ付止水壁仕切装置1を地山１３に掘削した止水壁１４に設置し、次いでこれを拡張して、フィルター付開口体2の開口部6を地山１３及び止水壁内側の地山19に形成された掘削孔の孔壁1６に全面的に当接させている。
この１連の作業はジャッキ4を操作して行うことになるが、止水壁１４、１４の透水部位に設置されたバルブ付止水壁仕切装置１は、バルブ付通水管3のバルブ11を閉鎖した状態にし、選択稼動させる水用開口部８は止水壁１４の内側にある掘削地山１９に位置するものが使用される。
【００２１】
壁内を掘削施工する時には、水用開口部８に図示していない揚水ポンプを接続して、バルブ１１を閉めた状態でポンプを作動させ矢印の水流２０として揚水し、地下水位２１を下げることで工事の遂行に合わせた地下水処理を可能にしている
。
掘削側への井戸の設置は、掘削底盤への処置や揚水ポンプの設置等に多くの設置コストを要していたために、問題視されながらも適切な解決策がなかったが、上記のようにバルブ付止水壁仕切装置１を止水壁１４に用いると掘削井戸を省略することができるので、大幅なコストダウンを図ることができる。
【００２２】
図６に示す実施の形態は、地下構造物を完成した後に地下水の流通を再現させる例であり、図６（ａ）は止水壁に設置のバルブ付止水壁仕切装置の側面図、図６（ｂ）は断面図である。
本実施の形態では、バルブ付止水壁仕切装置１を止水壁１４に設置し、これを拡張してフィルター付開口体２の開口部6を地山１３、１９に形成された掘削孔の孔壁１６に全面的に当接させている。この1連の作業はジャッキ4を操作して行うことになるが、止水壁内側の地山１９に地下構造物２２の構築を完了した後に、バルブ付通水管３のバルブ１１を開口させて対応することになる。
【００２３】
地下構造物完成後の状態では、止水壁によって地山１３の帯水層に滞留していた地下水が上流側の止水壁１４に設置されたバルブ付止水壁仕切装置１の一方のフイルター付開口体２に設けられた開口部6に矢印２３のように集水され、バルブ１１が開口しているバルブ付通水管3を通って他方のフイルター付開口体２に流通する。
他方のフイルター付開口体２に移動した地下水は、矢印２４のように止水壁内側の地山１９に注水されるが、地下水は地山１９の帯水層を通って、地下構造物の下流側に形成されている止水壁１４に設置されたバルブ付止水壁仕切装置１の一方のフイルター付開口体２に設けられた開口部６に矢印２５のように集水され、以下上記のバルブ付止水壁仕切装置1と同様に、バルブ付通水管３を通って他方のフイルター付開口体２に移動し、地下水は矢印２６のように下流側の地山1３に注水される。
【００２４】
従って、本発明によるバルブ付止水壁仕切装置を止水壁に設置すると、止水壁を構築することで遮断して周辺地域に問題を発生させていた地下水流を、止水壁内の帯水層を通じて流通させることで、地下水流の流通を再開させることが可能になるから地下水の遮断による環境問題の発生を防ぐことができる。
【００２５】
図７〜１２は、本発明によるバルブ付止水壁仕切装置の止水壁への設置法を説明するための工程図である。
図７は、止水壁の掘削孔に挿入設置する前のバルブ付止水壁仕切装置を中心部分で一部断面にして示す側面図である。
上記説明では、フイルター付開口体２において鋼殻５が形成する開口部６の内部構造については空間を形作っているとしてきたが、本実施の形態では、開口部６とフイルター７で囲まれる空隙を充填材で満たしてある。
一般に、掘削直後の孔内は泥水及びソイルセメントが充填されており、これらの中には各種の不透水性材料が含有されているから、フイルター付開口体２の内部開口部６にもフイルター７を通過して不透水性材料が侵入して来ることになり、フイルター付開口体２の透水性低下や揚水井戸の機能低下が危惧される。
従って、開口部６には図８の部分断面図で示すように、不透水性材料の侵入を防止する手段を施している。
【００２６】
図８に示すように、鋼殻５とフイルター７で形成されている開口部６には、フイルター材２７と充填材２８とが充填されており、充填材２８によってフイルターを通過して不透水性材料が侵入してくるのを防止している。
フイルター材２７としては、硅砂２号のような細かい塵埃等を通さないろ過機能を備えた材質のものが望ましく、市販の材料の中から適宜選択して使用することができる。
フイルター材２７の間隙に充填する充填材２８としては、バルブ付止水壁仕切装置の設置後に除去できるように氷、寒天等の溶解性材料であることが望ましく、熱や高圧水で溶解、破壊して飛散する材質のものであれば採用可能である。
さらに、場合によってはバルブ付止水壁仕切装置全体を凍結して断熱材で閉塞しておくことでも有効な手段である。
【００２７】
図９、１０は、止水壁の掘削状態と掘削孔にバルブ付止水壁仕切装置を挿入する建て込み状態を示している。
掘削孔１５は、図９に示すように、通常の杭打機３０で実施される。掘削時に掘削孔内の原地盤土にセメントを注入、攪拌して止水壁の構築が行われるが、ソイルセメントが固化する以前に、事前に用意してあるバルブ付止水壁仕切装置１を図１０に示すように、クローラクレーン３１で吊り下げて掘削孔１５に挿入する。
同段階でのバルブ付止水壁仕切装置１は、ジャッキ４を縮小させた状態にしてあるので、掘削孔１５との間には十分な間隙３２が存在しており、掘削孔内への建て込みは円滑に遂行することができる。又、バルブ付止水壁仕切装置１のフイルター付開口体２は、開口部を充填材で閉塞してあり充填材は溶解することなく硬化状態を保持しているので、フイルター付開口体２は不透水性材料に侵入されることがない。
【００２８】
図１１は、止水壁１４の掘削孔１５にバルブ付止水壁仕切装置１を設置した状態を示している。
バルブ付止水壁仕切装置１が帯水層に遭遇する所定の位置に到達すると、ジャッキ４を地上からの遠隔操作で作動させ、２つのフィルター付開口体２、２をジャッキ４の伸長によって拡張して、フィルター付開口体２のフイルター7を掘削孔１５の地山１３、１９に当接させて孔壁１６を全面的に覆った状態を形成する。
【００２９】
図１２は、止水壁１４の掘削孔１５を洗浄している状態を示している。
バルブ付止水壁仕切装置１の設置後に、水用開口部８には上述の如く任意数のポンプを選択的に接続する。接続したポンプの稼動によって、模擬的に図示しているように、フイルター付開口体２は止水壁１４の孔壁１６を揚水、ジェット水流あるいは両者の組み合わせによって、止水壁１４の孔壁１６を完全に洗浄することができる。
【００３０】
本発明によるバルブ付止水壁仕切装置の以降の稼動状態については、図４、５、６において開示してきた工事の遂行に合わせた順序で機能別に詳細に説明してきたので、特に詳細な説明はしない。
即ち、上記洗浄後は、止水壁内側の地山掘削が続けられ、地下水位の調整を必要とする所定の深さに達すると、上流側と下流側のバルブ付止水壁仕切装置１は、バルブ１１を閉じフイルター付開口体２に揚水ポンプを接続して揚水井戸として作動する。
さらに、所定の壁内掘削工事が完了し、地下構造物の建築が完成した際には、バルブ１１を開放して地下水の流動を開始させ、正常な地下水流への復帰が達成されると共に、工事完成後に地下水の流通状態を維持管理することについても図４で説明したように、地山の帯水層及びフイルター等の目詰まりを洗浄によって解消して、自然環境の保全を長期間に亙って確立できる。
【００３１】
以上、実施の形態に基づいて詳細に説明してきたように、本発明によるバルブ付止水壁仕切装置とその設置法は、止水壁の全長にわたることなく、集水、注水効率の最も高い帯水層の位置に対応させており、廉価な工事費で多くの地下水流に対応できるようにすると共に、掘削井戸の代行を務めたり、導水機構のメンテナンスも達成できるものであるが、本発明は上記実施の形態に何ら限定されるものでなく、例えば、バルブに換えて同等の機能を有する仕切弁を採用するという具合に、本発明の趣旨を逸脱しない範囲において種々の変更が可能であることは当然のことである。
【００３２】
【発明の効果】
本発明によるバルブ付止水壁仕切装置は、地中透水部に建設する構造物の上流側と下流側に設置される止水壁の所定位置に設置され、２つの相対峙するフィルター付開口体を伸縮可能なバルブ付通水管及びジャッキで接続し、２つのフィルター付開口体を拡張してそのフィルターを止水壁の内外側に形成されている掘削地山に全面的に当接させて止水壁の上流側と下流側とを通水可能に構成し、さらに、フィルター付開口体の開口部に、周囲に多数の間隙が形成されている筒体を設けて、揚水もしくは地中透水部の孔壁及びフィルターの洗浄に用い、バルブの開口によって地下水を導通することを特徴としているので、地中透水部に止水壁を設ける工事を効率よく安価な工事費で施工することが可能であり、加えて壁内の掘削工事中には、揚水井戸を形成して掘削地盤の地下水処理を行って掘削井戸の新設を不要にし、工事完了後は止水壁の上流側と下流側の水位を同等に保つのに充分な人工導水や機能維持のための洗浄を確立する効果と周辺の自然環境を何ら損ねることなく施工できる効果を併せて発揮している。
【００３３】
又、本発明によるバルブ付止水壁仕切装置を用いた揚水方法は、地中透水部に建設する構造物の上流側と下流側に設置される止水壁を構築しながら、その固化以前にバルブ付止水壁仕切装置を止水壁に配備し、バルブ付通水管及びジャッキを伸長させて２つの相対峙するフィルター付開口体を拡張してそのフィルターを止水壁の内外側に形成されている掘削地山に全面的に当接し、止水壁の固化後にバルブ付止水壁仕切装置のバルブを閉鎖し、筒体を施工状態に対応させて適宜操作することを基本的特徴にしており、具体的には、フィルター付開口体に充填材を充填したり、バルブ付止水壁仕切装置を凍結し断熱材で閉塞しておくことを特徴としているので、バルブ付止水壁仕切装置を配備した止水壁の工事を簡潔に、迅速な工期で完了させることができることになり、工期短縮によるコストダウンを図れる効果を奏している。
【図面の簡単な説明】
【図１】本発明によるバルブ付止水壁仕切装置の側面及び部分断面図
【図２】バルブ付止水壁仕切装置におけるバルブ付通水管部分の断面及び側面図
【図３】バルブ付止水壁仕切装置におけるジャッキ部分の断面及び側面図
【図４】バルブ付止水壁仕切装置の孔壁洗浄図
【図５】バルブ付止水壁仕切装置の掘削井戸兼用図
【図６】バルブ付止水壁仕切装置の地下水流通図
【図７】本発明によるバルブ付止水壁仕切装置の設置準備図
【図８】本発明によるバルブ付止水壁仕切装置の部分断面図
【図９】止水壁の掘削図
【図１０】バルブ付止水壁仕切装置の止水壁への建て込み図
【図１１】バルブ付止水壁仕切装置の止水壁への拡大設置図
【図１２】バルブ付止水壁仕切装置の孔壁洗浄図
【図１３】地盤地下水の水流状態図
【図１４】止水壁による地下水流の遮断状態図
【図１５】止水壁内側の地山掘削における揚水井戸の設置
【図１６】従来の止水壁における地下水導通図
【図１７】従来の止水壁における他の地下水導通図
【符号の説明】
１  バルブ付止水壁仕切装置
２  フィルター付開口体
３  バルブ付通水管
４  ジャッキ
５  鋼殻
６  開口部
７  フイルター
８  水用開口部
９  ダクト管
１０  結合部
１１  バルブ
１２  開口部端部
１３  地山
１４  止水壁
１５  掘削孔
１６  孔壁
１９  止水壁内側の地山
２１  地下水位
２２  地下構造物
２７  フイルター材
２８  充填材
３０  杭打機
３１  クローラクレーン
３２  間隙
４０  地下水流
４１  帯水層
４２  揚水井戸
４３  地下水の水位
５０  地下構造物
５１  止水壁
５２  壁面
５３、５５  導水パイプ
５４  躯体導水管
６０  止水壁
６１  Ｈ型鋼
６２  取付口
６３  止水壁の空間
６４  砂利等
６５  貫通孔形成装置
【図１】
0003713654.tif 000002
【図２】
0003713654.tif 000003
【図３】
0003713654.tif 000004
【図４】
0003713654.tif 000005
【図５】
0003713654.tif 000006
【図６】
0003713654.tif 000007
【図７】
0003713654.tif 000008
【図８】
0003713654.tif 000009
【図９】
0003713654.tif 000010
【図１０】
0003713654.tif 000011
【図１１】
0003713654.tif 000012
【図１２】
0003713654.tif 000013
【図１３】
0003713654.tif 000014
【図１４】
0003713654.tif 000015
【図１５】
0003713654.tif 000016
【図１６】
0003713654.tif 000017
【図１７】
0003713654.tif 000018